(57)【要約】【課題】雑音防止用のチョークコイルの追加によって増加していた磁界ノイズレベルをチョークコイル追加前の状態と同等のレベルとすることができるモータの雑音防止装置を提供すること。【解決手段】モータの雑音防止装置は、雑音防止用のプラス側のチョークコイル１５及びマイナス側のチョークコイル１６を介してロータ駆動用コイルに通電するようにしている。しかも、前記両チョークコイル１５，１６はこれらに通電により発生する磁界Ｂ１，Ｂ２を相殺する方向に配置されている。【選択図】図３
2008148456.tif 000002
【特許請求の範囲】
【請求項１】
雑音防止用のプラス側のチョークコイル及びマイナス側のチョークコイルを介してロータ駆動用コイルに通電するようにしたモータの雑音防止装置であって、
前記両チョークコイルはこれらに通電により発生する磁界を相殺する方向に配置されていることを特徴とするモータの雑音防止装置。
【請求項２】
請求項１に記載のモータの雑音防止装置において、前記両チョークコイルは発生する磁界が互いに影響するように平行に近接配置されていると共に、前記両チョークコイルに互いに反対方向に向かう磁界が発生するように通電可能に設けられていることを特徴とするモータの雑音防止装置。
【発明の詳細な説明】
【技術分野】
【０００１】
この発明は、雑音防止用のチョークコイルを備えるモータの雑音防止装置に関するものである。
【背景技術】
【０００２】
従来、直流モータでは、例えば、整流子（コミテータ）とブラシとの間に生ずるスパークや、整流子とブラシの摺動接触部の追従不安定や過負荷電流等により電気ノイズが発生する。
【０００３】
この電気ノイズの発生を防止するために、プラス側のブラシにチョークコイルを介してプラス端子を接続し、マイナス側のブラシにチョークコイルを介してマイナス端子を接続すると共に、この両チョークコイルをモータケース内に配設した雑音防止装置が知られている（例えば、特許文献１，２参照）。
【特許文献１】特開２００１−２８６１１５号公報
【特許文献２】特許第２８０４１０８号公報
【発明の開示】
【発明が解決しようとする課題】
【０００４】
しかしながら、従来は、プラス側のチョークコイル及びマイナス側のチョークコイルをロータ軸の軸線と平行にモータケース内に配設すると共に、両チョークコイルから同方向への磁界が発生していたため、これらのチョークコイル追加により、モータ外部への磁界ノイズが増加してしまい、好ましいものではなかった。
【０００５】
そこで、この発明は、このような雑音防止用のチョークコイルの追加によって増加していた磁界ノイズレベルをチョークコイル追加前の状態と同等のレベルとすることができるモータの雑音防止装置を提供することを目的とするものである。
【課題を解決するための手段】
【０００６】
この目的を達成するため、この発明は、雑音防止用のプラス側のチョークコイル及びマイナス側のチョークコイルを介してロータ駆動用コイルに通電するようにしたモータの雑音防止装置であって、前記両チョークコイルはこれらに通電により発生する磁界を相殺する方向に配置されているモータの雑音防止装置としたことを特徴とする。
【発明の効果】
【０００７】
この構成によれば、雑音防止用のプラス側のチョークコイル及びマイナス側のチョークコイルを介してロータ駆動用コイルに通電するようにしても、磁界ノイズの発生をチョークコイル追加前の状態と同等とすることができる。即ち、雑音防止用のチョークコイルの追加によって増加していた磁界ノイズレベルをチョークコイル追加前の状態と同等のレベルとすることができる。
【発明を実施するための最良の形態】
【０００８】
以下、この発明の実施の形態を図面に基づいて説明する。
【０００９】
図１は、車両の空調ユニット等に用いられる直流モータを一例として示したものである。この直流モータのモータケース１は、互いに着脱可能に結合された第１，第２ケース２，３を有する。
【００１０】
このモータケース１内にはステータ４及びロータ５が配設され、このロータ５と一体のロータ軸６にはコミテータ（整流子）７が一体に取り付けられている。このロータ５は、フェライト製のロータ鉄心（図示せず）と、このロータ鉄心に捲回された図示しないロータコイル（ロータ駆動コイル）を有する。このロータコイルにコミテータ７の多数の整流電極が接続されている。また、このコミテータ７には、プラス側のブラシ８と、マイナス側のブラシ９が摺動可能に接触させられている。このような直流モータの構成には周知のものを採用できるので、その詳細な構造の図示や説明は省略する。
【００１１】
また、第２ケース３には端子配設用の凹部１０が形成されている。この凹部１０内には、電源のコンセント（図示せず）に差し込むプラス側の板状の端子１１と、マイナス側の板状の端子１２とが、間隔をおいて平行に保持されている。
【００１２】
更に、第２ケース３の底部３ａには間隔をおいてコイル保持軸１３，１４が突設されている。そして、コイル保持軸１３にはプラス側のチョークコイル１５が捲回保持され、コイル保持軸１４にはマイナス側のチョークコイル１６が捲回保持されている。
【００１３】
また、図３に示したように、チョークコイル１５の一端にはピッグテール１７を介してプラス側のブラシ８が接続され、チョークコイル１６の一端にはピッグテール１８を介してマイナス側のブラシ９が接続されている。更に、チョークコイル１５の他端にはプラス側の端子１１が接続され、チョークコイル１６の他端にはマイナス側の端子１２が接続されている。しかも、端子１１，１２間にはコンデンサ１９が接続されている。
【００１４】
従って、端子１１，１２を図示しない電源のコンセントに接続して通電すると、電源からの駆動電流は、端子１１，チョークコイル１５，ピッグテール１７，ブラシ８及びコミテータ７を介してロータ５の図示しないロータコイルに流れた後、コミテータ７，ブラシ９，ピッグテール１８，チョークコイル１６，端子１２に流れる。
【００１５】
このようにして端子１１，１２に通電すると、チョークコイル１５にはプラス側の端子１１から矢印Ａ１，Ａ２で示したように駆動電流が流れて、チョークコイル１５には矢印Ｂ１で示した上向き方向の磁界が発生するようになっている。しかも、この際、チョークコイル１６にはプラス側の端子１１から矢印Ａ３，Ａ４で示したように駆動電流が流れて、チョークコイル１６には矢印Ｂ２で示した下向き方向の磁界が発生するようになっている。このような磁界Ｂ１，Ｂ２は、互いに反対向きになっていて、互いに相殺するようになっている。
【００１６】
この結果、チョークコイル１５，１６で磁界Ｂ１，Ｂ２が発生しても、磁界Ｂ１，Ｂ２は相殺されるので、チョークコイル１５，１６で発生する磁界Ｂ１，Ｂ２がモータ外部へ磁界ノイズとして発生することを確実に防止できる。
【００１７】
以上説明したように、この発明の実施の形態のモータの雑音防止装置は、雑音防止用のプラス側のチョークコイル１５及びマイナス側のチョークコイル１６を介してロータ駆動用コイル（図示しないロータコイル）に通電するようにしている。しかも、前記両チョークコイル１５，１６は、これらに通電により発生する磁界Ｂ１，Ｂ２を相殺する方向に配置されている。
【００１８】
この構成によれば、雑音防止用のプラス側のチョークコイル１５及びマイナス側のチョークコイル１６を介してロータ駆動用コイルに通電するようにしても、チョークコイルによる磁界ノイズレベルをチョークコイル追加前の状態と同等のレベルとすることができる。即ち、雑音防止用のチョークコイルの追加によって増加していた磁界ノイズレベルをチョークコイル追加前の状態と同等のレベルとすることができる。
【００１９】
また、この発明の実施の形態のモータの雑音防止装置において、前記両チョークコイル１５，１６は発生する磁界が互いに影響するように平行に近接配置されていると共に、前記両チョークコイル１５，１６に互いに反対方向に向かう磁界が発生するように通電可能に設けられている。
【００２０】
この構成によれば、両チョークコイル１５，１６をモータケース内に近接配置して、モータの小型化を図っても、両チョークコイル１５，１６から生ずる磁界ノイズのレベルを充分低減できる。
【図面の簡単な説明】
【００２１】
【図１】この発明に係る雑音防止装置を備えるモータの概略説明図である。
【図２】図１のモータケースへのチョークコイルの取付部を示す概略斜視図である。
【図３】図１のブラシ及び端子と図２のチョークコイルの接続関係を示す斜視図である。
【符号の説明】
【００２２】
１５，１６・・・チョークコイル
Ｂ１，Ｂ２・・・磁界
【図１】
2008148456.tif 000003
【図２】
2008148456.tif 000004
【図３】
2008148456.tif 000005